(57)【特許請求の範囲】
【請求項１】
矩形枠状の外枠に開閉回動可能に取付けられた前枠を外枠に対して閉じた位置にて施錠する遊技機用施錠装置であって、
前記外枠と前記前枠のいずれか一方の枠側に設けられるシリンダ錠と、そのシリンダ錠の錠軸の回転に伴って前記一方の枠に対して上下動する作動杆と、その作動杆の上下動に連動して前記一方の枠に対して傾動する鉤部材を有し、
前記作動杆は、前記錠軸の回転に連動して通常上下範囲内で上下動し、
前記作動杆と前記鉤部材の間には、前記作動杆が前記通常上下範囲を超えて移動した際に、前記鉤部材の傾動を規制することで前記鉤部材が他方の枠に固定された鉤受部材に対して係止できないようにする傾動規制機構が設けられていることを特徴とする遊技機用施錠装置。
【請求項２】
請求項１に記載の遊技機用施錠装置であって、
傾動規制機構は、作動杆の端部に設けられたストッパ部材を有し、
前記ストッパ部材は、前記鉤部材が鉤受部材に係止した際に前記鉤部材に当接して前記鉤部材を係止角度で保持する係止保持部と、前記作動杆が通常上下範囲内にて操作された際に、前記鉤部材に当接して前記鉤部材の傾動角度を前記係止角度と前記鉤受部材を係止解除する解除角度との間に規制する通常傾動規制部と、前記作動杆が前記通常上下範囲を超えて移動した際に前記鉤部材に当接して前記鉤部材が前記鉤受部材に係止できない係止不能角度に規制する異常ストッパ部とを有していることを特徴とする遊技機用施錠装置。
【発明の詳細な説明】
【技術分野】
【０００１】
本発明は、パチンコ機等の遊技機の外枠に開閉回動可能に取付けられた前枠を外枠に対して閉じた位置にて施錠する遊技機用施錠装置に関する。
【背景技術】
【０００２】
従来の施錠装置は、例えば遊技機の前枠の裏面に取付けられる縦長の基枠体と、その基枠体に設けられるシリンダ錠と、そのシリンダ錠の錠軸の回転に伴って上下動する作動杆と、その作動杆の上下動に連動して傾動する鉤部材を有している（特許文献１参照）。鉤部材は、ロック凹部を有しており、ロック凹部に鉤受部材が挿入されつつ傾動することで鉤受部材に対して係止する。そして作動杆によって傾動が規制され、これにより施錠装置が施錠状態になる。解錠する場合は、シリンダ錠の錠軸を回動させ、錠軸に固定されたカムによって作動杆を押し下げる。そして作動杆が鉤部材を傾動させ、鉤部材が鉤受部材から係止解除される。かくして施錠装置が解錠状態になる。
【０００３】
また従来、施錠装置がピアノ線や針金などを用いて不正に解錠されることを防止する不正防止機構も知られている（特許文献２参照）。しかし不正防止機構は、部品点数が多く、コスト高になる等の問題がある。また万が一、不正解錠された場合には、その痕跡が残らず、不正解錠の発見が遅れるという問題がある。
【特許文献１】特開２０００−９６８９３号公報
【特許文献２】特開２００６−２１８０３４号公報
【発明の開示】
【発明が解決しようとする課題】
【０００４】
そこで本発明は、不正解錠された痕跡を残すことのできる遊技機用施錠装置を提供することを課題とする。
【課題を解決するための手段】
【０００５】
前記課題を解決するために本発明は、各請求項に記載の通りの構成を備える遊技機用施錠装置であることを特徴とする。すなわち請求項１に記載の発明によると、遊技機の外枠と前枠のいずれか一方の枠側に設けられるシリンダ錠と、そのシリンダ錠の錠軸の回転に伴って一方の枠に対して上下動する作動杆と、その作動杆の上下動に連動して一方の枠に対して傾動する鉤部材を有している。作動杆は、錠軸の回転に連動して通常上下範囲内で上下動する。そして作動杆と鉤部材の間には、作動杆が通常上下範囲を超えて移動した際に、鉤部材の傾動を規制することで鉤部材が他方の枠に固定された鉤受部材に対して係止できないようにする傾動規制機構が設けられている。
【０００６】
したがって針金などを用いて作動杆を通常上下範囲を超えて不正に移動させると、鉤部材が傾動規制機構によって傾動規制される。その結果、鉤部材が鉤受部材に係止できなくなる。かくして遊技機の前枠を外枠に施錠できなくなり、これによって不正解錠がなされたことを容易に発見することができる。
【０００７】
また請求項２に記載の発明によると、傾動規制機構は、作動杆の端部に設けられたストッパ部材を有している。そしてストッパ部材は、鉤部材が鉤受部材に係止した際に鉤部材に当接して鉤部材を係止角度で保持する係止保持部と、作動杆が通常上下範囲内にて操作された際に、鉤部材に当接して鉤部材の傾動角度を係止角度と鉤受部材を係止解除する解除角度との間に規制する通常傾動規制部と、作動杆が通常上下範囲を超えて移動した際に鉤部材に当接して鉤部材が鉤受部材に係止できない係止不能角度に規制する異常ストッパ部とを有している。
【０００８】
したがって鉤部材は、係止保持部によって係止角度に保持される。これにより施錠装置が施錠状態に保持される。シリンダ錠の錠軸を回転させた際には、鉤部材の傾動角度が通常傾動規制部によって係止角度と係止解除角度との間に規制される。そして作動杆が不正に通常上下範囲を超えて移動した際には、鉤部材が異常ストッパ部によって係止不能角度に規制される。これにより鉤部材が鉤受部材に係止できなくなる。
【発明を実施するための最良の形態】
【０００９】
実施の形態を図１〜７にしたがって説明する。図１に示すように遊技機１０は、外枠１１と前枠１２を有している。外枠１１は、矩形状であって、上下左右の枠部材１１ａ〜１１ｄと、下部前面を構成する幕板１１ｅを有している。
【００１０】
前枠１２は、平板材であって中央部に開口窓１２ａを有しており、図示省略の遊技盤が取付けられる。前枠１２は、一端部１２ｂの上下部がヒンジ１３によって外枠１１に回動可能に取付けられる。そして前枠１２の他端部１２ｃには、前枠１２を閉じた位置にて外枠１１に対して施錠する施錠装置１が設けられている。したがって前枠１２は、外枠１１に対して開いた位置と閉じた位置との間で回動する。そして施錠装置１によって閉じた位置にて施錠される。
【００１１】
施錠装置１は、図２，３に示すように縦長の基枠体２を有している。基枠体２は、断面コ字状であって、図１に示すように前枠１２の他端部１２ｃに形成されたスリットに嵌め込まれる。基枠体２の内部には、一対の鉤部材４と作動杆３とガラス窓用鉤部材８が設けられている。鉤部材４は、基枠体２の上下部に傾動可能に取付けられる。基枠体２の上下部には、鉤部材４の先端部を開口する開口部２ａが形成されている。作動杆３とガラス窓用鉤部材８は、縦長であって、基枠体２に対して上下動可能に取付けられる。
【００１２】
基枠体２の側部には、図３に示すように側方に張り出す取付部２ｂが設けられている。取付部２ｂには、シリンダ錠６と、シリンダ錠６の背面を覆うカバー９が取付けられる。シリンダ錠６は、軸中心に錠軸６ａを有している。錠軸６ａの一端部には、鍵穴６ｂが形成されており、他端部には、カム７が固定されている。カム７は、板状であって一対の爪７ａ，７ｂを有している。爪７ａ、７ｂは、基枠体２の側面に形成されたスリット２ｃに挿通される。そして爪７ａが作動杆３の係止穴３ａに係止され、爪７ｂがガラス窓用鉤部材８の係止穴８ａに係止される。
【００１３】
作動杆３とガラス窓用鉤部材８の間には、図３に示すようにコイルばね１５が設けられている。したがってシリンダ錠６の鍵穴６ｂに鍵を挿入し、鍵を時計回りに回動させると、カム７がコイルばね１５に抗して作動杆３を下方に移動させる。反時計回りに鍵を回動させた場合には、カム７がコイルばね１５に抗してガラス窓用鉤部材８を上方に移動させる。そしてガラス窓用鉤部材８は、一対のフック８ｂによって前枠１２に回動可能に取付けられた図示省略のガラス枠のロック機構をロック解除することができる。
【００１４】
作動杆３の上下両端部には、図３に示すようにストッパ部材（傾動規制機構）５が固定されている。ストッパ部材５は、図５に示すように係止保持部５ａと通常傾動規制部５ｂと異常ストッパ部５ｃを有している。係止保持部５ａは、ストッパ部材５の右端部（裏面部）に立設されている。通常傾動規制部５ｂは、ストッパ部材５の中央にて円弧状に形成された円弧部５ｂ２と、円弧部５ｂ２の左端（前端）から上方に延出する起立部５ｂ１を有している。円弧部５ｂ２の右端（後端）と係止保持部５ａの間には、斜めに延出する傾斜部５ｄが形成されている。異常ストッパ部５ｃは、起立部５ｂ１の上端から折り返し状に形成されている。
【００１５】
鉤部材４は、図４に示すようにロック凹部４ａと、ロック凹部４ａの両側に位置する係止片４ｂ、４ｃを有している。鉤部材４は、ロック凹部４ａに鉤受部材１４の係止片１４ａが挿入されつつ傾動することで係止片１４ａに係止する。鉤受部材１４は、Ｌ字状であって、係止片１４ａと取付部１４ｂを有している。図１に示すように取付部１４ｂは、外枠１１の左枠部材１１ｄの枠内側に取付けられる。そして係止片１４ａは、左枠部材１１ｄから枠内中心に向けて張り出す。
【００１６】
図３，５に示すように鉤部材４の外周縁の一部には、溝４ｅが形成されており、溝４ｅには、ストッパ部材５の一部が挿入される。鉤部材４の側面には、凹部４ｇが形成されており、凹部４ｇには、鉤部材４を時計方向に付勢する付勢部材１６が設けられる。
【００１７】
鉤部材４は、図５に示すようにストッパ部材５に向けて突出する突部４ｄを有している。突部４ｄは、図５（Ａ）に示すように通常傾動規制部５ｂに当接する。これにより鉤部材４は、ロック凹部４ａが斜め上方に位置する係止解除角度に保持される。この状態で前枠１２を外枠１１に対して閉じると、鉤部材４が鉤受部材１４に近接して、図５（Ｂ）に示すように鉤部材４の係止片４ｂが鉤受部材１４の取付部１４ｂに当接する。
【００１８】
さらに前枠１２を閉じると、図５（Ｃ）に示すように鉤部材４が鉤受部材１４に押されて反時計回りに回動する。鉤部材４は、回動することで突部４ｄによってストッパ部材５を押し、ストッパ部材５と作動杆３をコイルばね１５に抗して下方に移動させる。そして図５（Ｄ）に示すように突部４ｄが傾斜部５ｄを超えると、ストッパ部材５と作動杆３がコイルばね１５の不勢力によって上昇する。これにより突部４ｄがストッパ部材５の係止保持部５ａに当接し、鉤部材４を係止角度に保持する。そして鉤部材４は、係止角度においてロック凹部４ａが上を向き、ロック凹部４ａに挿入された鉤受部材１４の係止片１４ａに対して係止する。かくして施錠装置１が施錠状態になる。
【００１９】
施錠装置１を解錠状態にする場合は、先ずシリンダ錠６の鍵穴６ｂに鍵を差し込む（図２、３参照）。そして鍵を時計回りに回し、錠軸６ａとカム７を回転させ、カム７がコイルばね１５に抗して作動杆３を押し下げる。そして図６に示すようにストッパ部材５が通常上下範囲Ａだけ下方に移動する。その結果、係止保持部５ａが鉤部材４の突部４ｄから離れ、鉤部材４が付勢部材１６によって時計回りに傾動する。そして突部４ｄがストッパ部材５の通常傾動規制部５ｂの起立部５ｂ１に当接し、鉤部材４が係止解除角度になる。
【００２０】
これにより鉤部材４は、図６に示すようにロック凹部４ａから係止片１４ａを放出し、鉤受部材１４から係止解除される。かくして施錠装置１は、解錠状態になる。そして鍵に加えていた力を解放すると、作動杆３とストッパ部材５がコイルばね１５によって上方に移動する。そして通常傾動規制部５ｂの円弧部５ｂ２が鉤部材４の突部４ｄに当接し、鉤部材４が鉤受部材１４を再び係止できる角度に保持される。
【００２１】
図７に示すように作動杆３が通常上下範囲Ａを超えて不正に下げられると、通常傾動規制部５ｂが鉤部材４の突部４ｄから離れる。そして鉤部材４が付勢部材１６によって時計回りに回動し、回動後に、作動杆３がコイルばね１５の不勢力によって上方に移動すると、突部４ｄが異常ストッパ部５ｃに当接する。その結果、鉤部材４は、ロック凹部４ａが下斜めに向く角度（係止不能角度）に規制される。これにより鉤部材４は、鉤受部材１４に対して係止できない状態になり、前枠１２を閉じ位置にすることができなくなる。
【００２２】
以上のようにして実施の形態が形成されている。すなわち作動杆３と鉤部材４の間には、図６に示すように作動杆３が通常上下範囲Ａを超えて移動した際に、鉤部材４の傾動を規制して、鉤部材４が鉤受部材１４に対して係止できないようにする傾動規制機構（ストッパ部材５）が設けられている。
【００２３】
したがって針金などを用いて作動杆３を通常上下範囲Ａを超えて不正に移動させると、鉤部材４が傾動規制機構によって傾動規制される。その結果、鉤部材４が鉤受部材１４に係止できなくなる。かくして遊技機１０の前枠１２を外枠１１に施錠できなくなり、これによって不正解錠がなされたことを容易に発見することができる。
【００２４】
また傾動規制機構は、図７に示すようにストッパ部材５を有している。そしてストッパ部材５は、係止保持部５ａと通常傾動規制部５ｂと異常ストッパ部５ｃを有している。したがって鉤部材４は、図５（Ｄ）に示すように係止保持部５ａによって係止角度に保持される。これにより施錠装置１が施錠状態に保持される。シリンダ錠６の錠軸６ａを回転させた際には、鉤部材４の傾動角度が通常傾動規制部５ｂによって係止角度（図５（Ｄ）参照）と係止解除角度（図６（Ａ）参照）との間に規制される。そして作動杆３が不正に通常上下範囲Ａを超えて移動した際には、図７に示すように鉤部材４が異常ストッパ部５ｃによって係止不能角度に規制される。そのため鉤部材４が鉤受部材１４に係止できなくなる。
【００２５】
（他の実施の形態）
本発明は、上記実施の形態に限定されず、以下の形態等であっても良い。
（１）例えば、上記実施の形態の施錠装置１は、前枠１２側に設けられており、外枠１１側に設けられた鉤受部材１４に係止する形態であった。しかし施錠装置が外枠側に設けられ、前枠側に設けられた鉤受部材に係止する形態であっても良い。
（２）上記実施の形態の鉤部材４は、ロック凹部４ａを有しており、ロック凹部４ａに鉤受部材１４が係止される形態であった。しかし鉤部材が鉤受部材の下方または上方から引っ掛るフックを有している形態であっても良い。
（３）上記実施の形態のストッパ部材５は、作動杆３と別体の部材であった。しかし作動杆にストッパ部材が一体に形成される形態であっても良い。
（４）上記実施の形態の施錠装置１は、鉤部材４とストッパ部材５を各二つ有する形態であった。しかし施錠装置がこれらを各一つまたは各三つ以上有している形態であっても良い。
（５）上記実施の形態は、傾動規制機構としてストッパ部材５を有していた。しかし傾動規制機構として、作動杆が通常上下範囲を超えたことを検知する検知手段と、傾動不能検知手段からの検知信号によって鉤受部材を係止不能角度にて保持する保持手段とを有している形態であっても良い。
【図面の簡単な説明】
【００２６】
【図１】遊技機の外枠と前枠と施錠装置の斜視図である。
【図２】施錠装置の斜視図である。
【図３】施錠装置の分解斜視図である。
【図４】解錠状態から施錠状態にする様子を示す施錠装置の一部拡大斜視図である。
【図５】解錠状態から施錠状態にする様子を示す施錠装置の一部拡大断面図である。
【図６】解錠状態になる様子を示す施錠装置の一部拡大断面図である。
【図７】不正に解錠される様子を示す施錠装置の一部拡大断面図である。
【符号の説明】
【００２７】
１…施錠装置
２…基枠体
３…作動杆
４…鉤部材
４ｄ…突部
５…ストッパ部材（傾動規制機構）
５ａ…係止保持部
５ｂ…通常傾動規制部
５ｃ…異常ストッパ部
６…シリンダ錠
６ａ…錠軸
７…カム
８…ガラス窓用鉤部材
１０…遊技機
１１…外枠
１２…前枠
１４…鉤受部材
１６…付勢部材
Ａ…通常上下範囲
【図１】
0005052984.tif 000002
【図２】
0005052984.tif 000003
【図３】
0005052984.tif 000004
【図４】
0005052984.tif 000005
【図５】
0005052984.tif 000006
【図６】
0005052984.tif 000007
【図７】
0005052984.tif 000008